(57)【要約】【課題】籾殻を新たな資源として有効に利用するための装置を提供する。【解決手段】籾殻Ｈを燃焼させて燻炭Ｃを作ると共に、燃焼の際に発生する熱を利用して温水を作ることのできる装置であって、スクリューコンベア２の上流側に、籾殻Ｈを貯え、かつスクリューコンベア２に籾殻Ｈを供給するホッパー１を設け、スクリューコンベア２の下流端に連続して、前方解放部６ａと上方解放部６ｂを有し、二重底壁６ｃと二重側壁６ｄの各内壁にブロアー７から供給されるエアーを通す多数の空気孔１４を穿設した燃焼箱６を設け、燃焼箱６の直上に下端開口部９ａを有する略箱状の熱交換器９を設け、熱交換器９の近傍に、当該熱交換器９内を循環する送湯管１１と戻湯管１２を備えた貯湯タンク１０を設けてある。【選択図】      図１
2005162889.tif 000002
【特許請求の範囲】
【請求項１】
籾殻（Ｈ）を燃焼させて燻炭（Ｃ）を作ると共に，燃焼の際に発生する熱を利用して温水を作ることのできる装置であって、
スクリューコンベア（２）の上流側に，籾殻を貯え，かつ前記スクリューコンベアに前記籾殻を供給するホッパー（１）を設け、
前記スクリューコンベアの下流端に連続して，前方解放部（６ａ）と上方解放部（６ｂ）を有し，二重底壁（６ｃ）と二重側壁（６ｄ）の各内壁にブロアー（７）から供給されるエアーを通す多数の空気孔（１４）を穿設した燃焼箱６を設け、
前記燃焼箱の直上に下端開口部（９ａ）を有する略箱状の熱交換器（９）を設け、
前記熱交換器の近傍に，該熱交換器内を循環する送湯管（１１）と戻湯管（１２）を備えた貯湯タンク（１０）を設けたことを特徴とする籾殻燃焼装置。
【発明の詳細な説明】
【技術分野】
【０００１】
本発明は、燃え難い物質である籾殻を効果的に燃焼させて栽培土や用土あるいは肥料となる燻炭を作り、かつ、当該燻炭を燃焼させた際に発生する熱を利用してハウス栽培の熱源となる温水をつくることのできる籾殻燃焼装置に関するものである。
【背景技術】
【０００２】
天然資源の有効利用が叫ばれている昨今、精穀した際に大量に発生する籾殻の有効利用も同様に求められている。
【発明の開示】
【発明が解決しようとする課題】
【０００３】
しかし、この籾殻の多くは有効に利用されることなく単に燃やされて廃棄される場合が多い。
【０００４】
本発明はこうして点に鑑み創案されたもので、籾殻を新たな資源として有効に利用するための装置を提供することを課題とする。
【課題を解決するための手段】
【０００５】
図１乃至図３を参照して説明する。本発明に係る籾殻燃焼装置は、籾殻Ｈを燃焼させて燻炭Ｃを作ると共に、燃焼の際に発生する熱を利用して温水を作ることのできる装置であって、スクリューコンベア２の上流側に、籾殻Ｈを貯え、かつ前記スクリューコンベア２に前記籾殻Ｈを供給するホッパー１を設け、前記スクリューコンベア２の下流端に連続して、前方解放部６ａと上方解放部６ｂを有し、二重底壁６ｃと二重側壁６ｄの各内壁にブロアー７から供給されるエアーを通す多数の空気孔１４を穿設した燃焼箱６を設け、前記燃焼箱６の直上に下端開口部９ａを有する略箱状の熱交換器９を設け、前記熱交換器９の近傍に、当該熱交換器９内を循環する送湯管１１と戻湯管１２を備えた貯湯タンク１０を設けてなるものである。
【発明の効果】
【０００６】
本発明に係る籾殻燃焼装置は、籾殻Ｈを燃焼させて燻炭Ｃを効果的に作ることができると共に、燃焼の際に発生する熱によって温水を効果的に作ることができる。すなわち、スクリューコンベア２によって燃焼箱６に送った籾殻Ｈを、ブロアー７から供給されるエアーを加えることによって効率的に燃焼させることができる。この際、燃焼箱６には、その二重底壁６ｃと二重側壁６ｄの各内壁に多数の空気孔１４を穿設しているので、エアーは左右及び底から吹き出し、三方から吹き付けて燃焼箱６の中で渦巻き状に風が舞い、籾殻Ｈは迅速に燃焼する。従って、燻端を効果的に作ることができる。
【０００７】
また、貯湯タンク１０に設けた送湯管１１と戻湯管１２を熱交換機内に循環させているので、籾殻Ｈを燃焼させた際に発生する熱によって、送湯管１１と戻湯管１２を通る湯水を効果的に加熱することができる。これによって、温水を効率的に作ることができる。
【発明を実施するための最良の形態】
【０００８】
本発明に係る籾殻燃焼装置の実施形態を、図１乃至図３に示す。これは、精穀した際に多量に発生する籾殻Ｈを燃焼させて、栽培土や用土あるいは肥料となる燻炭Ｃを作ると共に、燃焼の際に発生する熱を利用してハウス栽培の熱源となる温水を作る装置である。
【０００９】
この燃焼装置は、スクリューコンベア２の上流側の直上に、多量の籾殻Ｈを貯え、スクリューコンベア２に当該籾殻Ｈを定量づつ供給するホッパー１を設けている。また、スクリューコンベア２の下流端に連続して燃焼箱６を設けている。この燃焼箱６は、前方解放部６ａと上方解放部６ｂを有し、二重底壁６ｃと左右の二重側壁６ｄの各内壁に、ブロアー７から供給されるエアーを通すための空気孔１４を多数穿設している。また、燃焼箱６の直上に下端開口部９ａを有する略箱状の熱交換器９を設けている。さらに、熱交換器９の近傍に、当該熱交換器９内を循環する送湯管１１と戻湯管１２を備えた貯湯タンク１０を設けている。
【００１０】
なお、スクリューコンベア２は、その上流側に取付けたプーリー４を、モーター３でベルト５を介して回転させることによって作動させる。また、ブロアー７と燃焼箱６の二重底壁６ｃと二重側壁６ｂの各内壁とを送風管１５で連結し、その送風管１５にエアー調整弁８を取付けている。さらに、送湯管１１に温水を送るためのポンプ１３を設けている。
【００１１】
この籾殻燃焼装置の作用について説明する。まず、ホッパー１に貯えた籾殻Ｈを一定量スクリューコンベア２に供給し、そのまま燃焼箱６に送る。燃焼箱６に送られた籾殻Ｈは、ブロアー７からその二重底壁６ｃと二重側壁６ｂの各内壁に穿設した空気孔１４を通して供給されるエアー燃焼箱２の中で渦巻き状に風が舞い、効果的に燃焼し、燻炭Ｃとなる。この燻炭Ｃは、前方解放部６ａから落として容器等に収納し、栽培土や用土あるいは肥料として使用する。
【００１２】
なお、籾殻Ｈを燃焼箱６に連続的に送り、燃焼後の燻炭Ｃを、スクリューコンベア２から連続的に供給される籾殻によって、前方解放部６ａから押し出すこともできる。
【００１３】
同時に、貯湯タンク１０に貯えた湯水を、ポンプ１３によって送湯管１１に送り、そのまま熱交換器９内を循環させて戻湯管１２から貯湯タンク１０に戻す。この間、送湯管１１と戻湯管１２内を通過する湯水を燃焼箱６で発生した熱によって加熱して温水とする。この温水は、ハウス栽培用の熱源として使用する。
【図面の簡単な説明】
【００１４】
【図１】本発明に係る籾殻燃焼装置の実施形態を示す側面図である。
【図２】図１のＸ−Ｘ視図である。
【図３】図１に示す籾殻燃焼装置の燃焼箱を示す斜視図である。
【符号の説明】
【００１５】
１        ホッパー
２        スクリューコンベア
３        モーター
４        プーリー
５        ベルト
６        燃焼箱
６ａ      前方解放部
６ｂ      上方解放部
６ｃ      底壁
６ｄ      側壁
７        ブロワー
８        調整弁
９        熱交換器
９ａ      下端開口部
１０      貯湯タンク
１１      送湯管
１２      戻湯管
１３      ポンプ
１４      空気孔
１５      送風管
Ｃ        燻炭
Ｈ        籾殻
【図１】
2005162889.tif 000003
【図２】
2005162889.tif 000004
【図３】
2005162889.tif 000005